(57)【特許請求の範囲】
【請求項１】
複数の光源部を有し、これら光源部からの光が合成されて出射される光源装置と、
前記光源装置から出射された光を変調する光変調部と、
前記光源装置および前記光変調部が配される本体キャビネットと、
前記本体キャビネットに設けられ、前記各光源部がそれぞれ出し入れされる複数の開口部と、
前記各開口部をそれぞれ覆う複数の光源用カバーと、
前記各光源部に対応して設けられ、前記各光源部を駆動する複数の光源駆動部と、
前記各光源用カバーにそれぞれ対応して設けられ、前記各光源用カバーが開いたことを検出する開閉検出部と、
前記光源装置の温度を検出する温度検出部と、
前記各光源駆動部が正常に動作しないことを検出する異常動作検出部と、
制御部と、を備え、
前記制御部は、
前記光源装置および前記光変調部の動作により画像を投写する運転を行っているときに、少なくとも１つの前記光源部が前記光源用カバーの開放により停止すると、前記運転を継続し、
前記光源装置および前記光変調部の動作により画像を投写する運転を行っているときに、少なくとも１つの前記光源部が前記温度検出部による温度検出により停止すると、前記運転を停止し、
前記光源装置および前記光変調部の動作により画像を投写する運転を行っているときに、少なくとも１つの前記光源部が前記光源駆動部が正常に動作しないことにより停止すると、前記運転を停止する、
ことを特徴とする投写型表示装置。
【請求項２】
請求項１に記載の投写型表示装置において、
前記各光源駆動部に、前記各光源部の駆動に係る第１電気信号および第２電気信号を供給する信号供給部を備え、
前記開閉検出部は、前記各光源用カバーが開くと、前記各第１電気信号を遮断するとともに、当該遮断に基づく第１検出信号を前記制御部に出力する第１開閉検出部を含み、
前記温度検出部は、前記光源装置の温度が所定の閾値を超えると、前記各第２電気信号を遮断し、
前記各光源駆動部は、前記制御部からの駆動指令に基づいて前記各光源部を駆動しているときに、前記各第１電気信号または前記各第２電気信号が遮断されると前記各光源部の駆動を停止し、
前記異常動作検出部は、前記制御部からの駆動指令がある状態で前記各光源駆動部が前記各光源部の駆動を停止したときに、当該停止に基づく第２検出信号を前記制御部に出力し、
前記制御部は、
少なくとも１つの前記光源部が前記光源用カバーの開放により停止したために、停止した前記光源部に対応する前記第１開閉検出部から前記第１検出信号が出力されると、前記運転を継続し、
少なくとも１つの前記光源部が前記温度検出部による温度検出により停止したために、停止した前記光源部に対応する前記異常動作検出部から前記第２検出信号が出力されると、前記第２検出信号が出力されたことに基づいて、前記運転を停止し、
少なくとも１つの前記光源部が前記光源駆動部が正常に動作しないことにより停止したために、停止した前記光源部に対応する前記異常動作検出部から前記第２検出信号が出力されると、前記第２検出信号が出力されたことに基づいて、前記運転を停止する、
ことを特徴とする投写型表示装置。
【請求項３】
請求項２に記載の投写型表示装置において、
前記開閉検出部は、前記各光源用カバーにそれぞれ対応して設けられ、前記各光源用カバーが開いたことを検出して、前記各第２電気信号を遮断する第２開閉検出部を含み、
前記制御部は、停止した前記光源部に対応する前記異常動作検出部から前記第２検出信号が出力されており、且つ、停止した前記光源部に対応する前記第１開閉検出部から前記第１検出信号が出力されていない場合に、前記運転を停止する、
ことを特徴とする投写型表示装置。
【請求項４】
請求項３に記載の投写型表示装置において、
前記各光源駆動部は、
各光源駆動部に供給された供給電圧信号を、前記各光源部の駆動に適する駆動電圧信号に変換して前記各光源部に供給する信号変換部と、
前記制御部からの駆動指令に従って、前記信号変換部に対する前記供給電圧信号の供給を行い、または供給を停止する切替部と、を含み、
前記信号変換部は、前記第１電気信号が遮断されると、前記駆動電圧信号への変換動作を停止し、
前記切替部は、前記第２電気信号が遮断されると、前記信号変換部への前記供給電圧信号の供給を停止する、
ことを特徴とする投写型表示装置。
【請求項５】
請求項３または４に記載の投写型表示装置において、
前記第２開閉検出部は、前記第２電気信号を供給するための信号ラインにおいて、前記温度検出部よりも前記光源駆動部側に配されるとともに、
前記温度検出部は、前記第２電気信号が遮断されたときに、当該遮断に基づく第３検出信号を前記制御部に出力する、
ことを特徴とする投写型表示装置。
【請求項６】
請求項２ないし５の何れか一項に記載の投写型表示装置において、
前記温度検出部は、前記各光源部に対応して複数設けられるとともに、
前記各温度検出部は、前記第２電気信号を供給するための信号ライン上において直列に配される、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、液晶プロジェクタ等の投写型表示装置（以下、「プロジェクタ」という）では、液晶パネルなどの光変調素子よって変調された光が、投写レンズによって被投写面に投写される。光源には、たとえば、ランプが用いられる。ランプは、長く使用されると劣化する。よって、ランプが寿命を迎えると、新たなランプに交換する必要がある。
【０００３】
プロジェクタ本体には、ランプを出し入れするためのランプ用開口が、ランプ毎にそれぞれ設けられ得る。この場合、各ランプ用開口は、それぞれに対応するカバーによって覆われる。ユーザは、ランプを交換する際、カバーを開けてランプを取り出す。
【０００４】
かかる投写型表示装置では、ランプ交換は、通常、運転停止時にのみ行われていた。よって、運転時にカバーが開いた場合には、ランプが消灯された後、運転が停止されていた。また、運転中にランプが過熱状態となったり、ランプを駆動する駆動部が正常に動作しなくなったりした場合にも、ランプが消灯された後、運転が停止されていた。即ち、カバーの開放、ランプの温度異常およびランプの駆動部の動作異常は、同等な異常として扱われ、運転を停止するという同じ処理が行われていた。
【０００５】
かかるプロジェクタでは、高輝度化を図るために、複数のランプを備える構成、いわゆる多灯式の構成が採られ得る（特許文献１参照）。多灯式のプロジェクタでは、１つのランプが寿命や故障により点灯しなくなると、画像の明るさは低減してしまうが、残りのランプで運転を継続することができる。よって、多灯式のプロジェクタでは、上記のように運転停止時ではなく、運転を継続したまま、不灯状態となったランプを交換できるような構成が採られ得る。
【先行技術文献】
【特許文献】
【０００６】
【特許文献１】特開２００７−２９３０３３号公報
【発明の概要】
【発明が解決しようとする課題】
【０００７】
上記のように、運転を継続したままランプ交換が行えるような構成とした場合には、運転時にカバーが開くと、開いたカバーに対応するランプは消灯されるが、他のランプによる運転が継続される。このため、上記のように、カバーの開放を、ランプの温度異常やランプの駆動部の動作異常と同じに扱うことができず、カバーの開放と他の異常のそれぞれに対応するための回路構成や制御が必要となる。
【０００８】
本発明は、かかる課題に鑑みてなされたものであり、運転を継続したままランプ交換が行える構成とした場合に、光源用カバーの開放と他の異常のそれぞれに適正に対応できる投写型表示装置を提供することを目的とする。
【課題を解決するための手段】
【０００９】
本発明の投写型表示装置は、複数の光源部を有し、これら光源部からの光が合成されて出射される光源装置と、前記光源装置から出射された光を変調する光変調部と、前記光源装置および前記光変調部が配される本体キャビネットと、前記本体キャビネットに設けら
れ、前記各光源部がそれぞれ出し入れされる複数の開口部と、前記各開口部をそれぞれ覆う複数の光源用カバーと、前記各光源部に対応して設けられ、前記各光源部を駆動する複数の光源駆動部と、前記各光源用カバーにそれぞれ対応して設けられ、前記各光源用カバーが開いたことを検出する開閉検出部と、前記光源装置の温度を検出する温度検出部と、前記各光源駆動部が正常に動作しないことを検出する異常動作検出部と、制御部とを備える。ここで、前記制御部は、前記光源装置および前記光変調部の動作により画像を投写する運転を行っているときに、少なくとも１つの前記光源部が前記光源用カバーの開放により停止すると、前記運転を継続し、前記光源装置および前記光変調部の動作により画像を投写する運転を行っているときに、少なくとも１つの前記光源部が前記温度検出部による温度検出により停止すると、前記運転を停止し、前記光源装置および前記光変調部の動作により画像を投写する運転を行っているときに、少なくとも１つの前記光源部が前記光源駆動部が正常に動作しないことにより停止すると、前記運転を停止する。
【００１０】
本発明の投写型表示装置によれば、光源用カバーが開けられた場合には運転が継続され、光源部が過熱状態となった場合、および光源駆動部が正常に動作しなくなった場合には運転が停止される。よって、光源用カバーの開放、光源部の温度異常および光源駆動部の動作異常のそれぞれに応じた適正な対応をとることができる。
【００１１】
本発明の投写型表示装置において、前記各光源駆動部に、前記各光源部の駆動に係る第１電気信号および第２電気信号を供給する信号供給部が備えられ得る。この場合、前記開閉検出部は、前記各光源用カバーが開くと、前記各第１電気信号を遮断するとともに、当該遮断に基づく第１検出信号を前記制御部に出力する第１開閉検出部を含む。また、前記温度検出部は、前記光源装置の温度が所定の閾値を超えると、前記各第２電気信号を遮断する。さらに、前記各光源駆動部は、前記制御部からの駆動指令に基づいて前記各光源部を駆動しているときに、前記各第１電気信号または前記各第２電気信号が遮断されると前記各光源部の駆動を停止する。さらに、前記異常動作検出部は、前記制御部からの駆動指令がある状態で前記各光源駆動部が前記各光源部の駆動を停止したときに、当該停止に基づく第２検出信号を前記制御部に出力する。そして、前記制御部は、少なくとも１つの前記光源部が前記光源用カバーの開放により停止したために、停止した前記光源部に対応する前記第１開閉検出部から前記第１検出信号が出力されると、前記運転を継続し、少なくとも１つの前記光源部が前記温度検出部による温度検出により停止したために、停止した前記光源部に対応する前記異常動作検出部から前記第２検出信号が出力されると、前記第２検出信号が出力されたことに基づいて、前記運転を停止し、少なくとも１つの前記光源部が前記光源駆動部が正常に動作しないことにより停止したために、停止した前記光源部に対応する前記異常動作検出部から前記第２検出信号が出力されると、前記第２検出信号が出力されたことに基づいて、前記運転を停止する。
【００１２】
このような構成とすれば、光源用カバーが開けられた場合には、対応する光源部が消灯され、残りの光源部の動作により運転が継続される。光源部が過熱状態となった場合、および光源駆動部が正常に動作しなくなった場合には、対応する光源部が消灯された後に運転が停止される。
【００１３】
また、このような構成とした場合、前記開閉検出部は、前記各光源用カバーにそれぞれ対応して設けられ、前記各光源用カバーが開いたことを検出して、前記各第２電気信号を遮断する第２開閉検出部を含み得る。この場合、前記制御部は、停止した前記光源部に対応する前記異常動作検出部から前記第２検出信号が出力されており、且つ、停止した前記光源部に対応する前記第１開閉検出部から前記第１検出信号が出力されていない場合に、前記運転を停止する。
【００１４】
このような構成とすれば、光源用カバーが開いた際に、第１開閉検出部により第１電気
信号が遮断されるか第２開閉検出部により第２電気信号が遮断されれば、開いた光源用カバーに対応する光源部が消灯される。よって、光源用カバーが開いた際に、精度よく光源部を消灯できる。また、第２開閉検出部により第２電気信号が遮断されると、制御部には第２検出信号が入力される。しかし、制御部は、第２検出信号が入力されても第１検出信号が入力されなければ、運転を停止しない。よって、光源用カバーが開放されたときに、誤って運転が停止されない。
【００１５】
さらに、開閉検出部が第２開閉検出部を含む構成とした場合、前記各光源駆動部は、各光源駆動部に供給された供給電圧信号を、前記各光源部の駆動に適する駆動電圧信号に変換して前記各光源部に供給する信号変換部と、前記制御部からの駆動指令に従って、前記信号変換部に対する前記供給電圧信号の供給を行い、または供給を停止する切替部とを含むような構成とされ得る。この場合、前記信号変換部は、前記第１電気信号が遮断されると、前記駆動電圧信号への変換動作を停止する。また、前記切替部は、前記第２電気信号が遮断されると、前記信号変換部への前記供給電圧信号の供給を停止する。
【００１６】
光源用カバーが開いた際には、光源制御部の不具合等に寄らず、できる限り精度よく光源部が消灯されることが望ましい。
【００１７】
上記のような構成とすれば、信号変換部または切替部のどちらか一方に不具合が生じていても、光源用カバーが開いたときに、不具合ない他方によって光源部が消灯される。よって、光源用カバーが開いた際に、精度よく光源部を消灯できる。
【００１８】
さらに、開閉検出部が第２開閉検出部を含む構成とした場合、前記第２開閉検出部は、前記第２電気信号を供給するための信号ラインにおいて、前記温度検出部よりも前記光源駆動部側に配され得る。この場合、前記温度検出部は、前記第２電気信号が遮断されたときに、当該遮断に基づく第３検出信号を前記制御部に出力する。
【００１９】
このような構成とすれば、温度検出部の動作により第２電気信号が遮断されたことが制御部により認識される。これにより、制御部は、光源部が過熱状態にあるのか、光源駆動部が正常に動作していないのかを識別できる。よって、制御部が、これら異常の原因に係る情報を、投写型表示装置内に記憶したり、表示部等を用いて報知したりすることにより、投写型表示装置を修理する際に、作業者が運転停止の原因を詳細に知ることが可能となる。
【００２０】
本発明の投写型表示装置において、前記温度検出部は、前記各光源部に対応して複数設けられ得る。この場合、前記各温度検出部は、前記第２電気信号を供給するための信号ライン上において直列に配される。
【００２１】
このような構成とすれば、少なくとも１つの温度検出部によって、その温度検出部の周りの温度異常が検出されると、全ての光源部が停止される。よって、温度異常に対して、より手厚く光源装置の保護を図ることができる。
【発明の効果】
【００２２】
以上のとおり、本発明によれば、運転を継続したままランプ交換が行える構成とした場合に、光源用カバーの開放と他の異常のそれぞれに適正に対応できる投写型表示装置を提供することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２４】
【図１】実施の形態に係るプロジェクタの外観構成を示す図である。
【図２】実施の形態に係るプロジェクタの内部構造を示す図である。
【図３】実施の形態に係る光学系の構成を示す図である。
【図４】実施の形態に係る光源装置の構成を示す図である。
【図５】実施の形態に係る光源装置の構成を示す図である。
【図６】実施の形態に係るランプユニットの構成を示す図である。
【図７】実施の形態に係るランプ用カバーの開閉を検出するための構成を示す図である。
【図８】実施の形態に係るランプユニットを制御するための制御系を示すブロック図である。
【図９】実施の形態に係るランプ電源部の構成を示すプロック図である。
【図１０】実施の形態に係る温度スイッチおよび第２検出スイッチが配されたＶ２信号ラインに関する配線状態を示す図である。
【図１１】実施の形態に係る第１検出スイッチが配されたＶ１信号ラインに関する配線状態を示す図である。
【図１２】実施の形態に係るサブ基板のＶ２信号ラインに関する配線状態を示す図である。
【図１３】実施の形態に係るサブ基板のＶ１信号ラインに関する配線状態を示す図である。
【図１４】実施の形態に係るサブ基板に第１から第１２ケーブルが接続された状態を示す図である。
【図１５】実施の形態に係るランプユニットに関する保護制御の処理手順を示すフローチャートである。
【図１６】実施の形態に係るプロジェクタが各種の状態にあるときの、各ランプユニットに対応する開閉信号およびＰＦＣエラー信号の状態を示す図である。
【図１７】変更例に係るプロジェクタの構成を示す図である。
【図１８】変更例に係るプロジェクタの構成を示す図である。
【発明を実施するための形態】
【００２５】
以下、図面を参照して、実施の形態に係るプロジェクタについて説明する。
【００２６】
＜プロジェクタの全体構成＞
図１は、プロジェクタの外観構成を示す図である。本実施の形態に係るプロジェクタは、４つのランプユニットを備えており、いわゆる、４灯タイプの大型のプロジェクタである。
【００２７】
図１を参照して、プロジェクタは、略直方体形状を有する本体キャビネット１を備えている。本体キャビネット１は、下キャビネット２と、下キャビネット２に上方から被せられる上キャビネット３とで構成されている。
【００２８】
上キャビネット３の前面中央部には投写窓４が形成されており、投写レンズ５の前面が投写窓４を通じて外部に露出している。
【００２９】
また、上キャビネット３には、前面から上面にかけて、メイン開口を覆うメインカバー６が設けられている。メイン開口は、投写レンズ５やプリズムユニットの交換、偏光板等の調整を行うために設けられている。上キャビネット３の上面後部には、４つのランプ用開口をそれぞれ覆う４つのランプ用カバー７が設けられている。各ランプ用開口は、各ランプユニットの交換を行うため、各ランプユニットの上方に設けられている。
【００３０】
さらに、上キャビネット３の右側面には、入出力端子部８が設けられている。入出力端子部８には各種ＡＶ端子が配されており、ＡＶ端子を通じてＡＶ（Audio Visual）信号が入力される。
【００３１】
下キャビネット２の左右の側面には、それぞれ、取手９が２つずつ設けられている。取手９は、プロジェクタを持ち運ぶ際に用いられる。
【００３２】
図２は、プロジェクタの内部構造を示す図であり、上キャビネット３が外された状態を示す。
【００３３】
図２を参照して、下キャビネット２の内部には、光源装置１０と、光源装置１０から出射された光を変調して映像光を生成する光学系１１とが配されている。
【００３４】
光源装置１０は、下キャビネット２の後部に配されている。光学系１１は、光源装置１０の前方に配されている。光学系１１は、下キャビネット２に配され、プリズムユニット１２が、上方から着脱ができるように、光学系１１に配されている。なお、光源装置１０および光学系１１の詳細な構成については追って説明する。
【００３５】
光学系１１の前方には、投写レンズ５が配されている。投写レンズ５は、光学系１１により生成された映像光を拡大し、スクリーン等の被投写面に投写する。
【００３６】
光学系１１の左側には、第１ランプ電源ユニット１３が配されており、光源装置１０の右側には、第２ランプ電源ユニット１４が配されている。第１ランプ電源ユニット１３は、左側の前後２つのランプユニットに対してそれぞれ電力を供給する２つのランプ電源部を含む。第２ランプ電源ユニット１４は、右側の前後２つのランプユニットに対してそれぞれ電力を供給する２つのランプ電源部を含む。また、第２ランプ電源ユニット１４の前方には、メイン電源ユニット１５が配されている。メイン電源ユニット１５は、光学系１１を構成する電装部品（液晶パネル等）、制御基板１６等に電力を供給する。
【００３７】
光学系１１の上方には、制御基板１６が配される。制御基板１６には、液晶パネル、ランプユニット等の電装部品を制御するための制御回路が備えられている。なお、図２では、光学系１１が見えるよう、制御基板１６が破線にて示されている。
【００３８】
＜光学系の構成＞
図３は光学系１１の構成を示す図である。
【００３９】
図３に示すように、光学系１１は、導光光学系１０１、３つの透過型の液晶パネル１０２、１０３、１０４と、ダイクロイックプリズム１０５とを備えている。なお、液晶パネル１０２、１０３、１０４の入射側と出射側には図示しない偏光板が配されている。
【００４０】
光源装置１０から出射された白色光は、導光光学系１０１に入射する。導光光学系１０１は、フライアイインテグレータ、ＰＢＳアレイ、コンデンサレンズ、ダイクロイックミラー、平面ミラー、リレーレンズ等を備える。導光光学系１０１に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル１０２、１０３、１０４に照射される。これら液晶パネル１０２、１０３、１０４によって変調されたＲ光、Ｇ光、Ｂ光は、ダイクロイックプリズム１０５によって色合成され、映像光として出射される。なお、液晶パネル１０２、１０３、１０４、ダイクロイックプリズム１０５は、一体化され、プリズムユニット１２を構成する。
【００４１】
なお、光学系１１を構成する光変調素子としては、上記透過型の液晶パネル１０２、１０３、１０４の他、反射型の液晶パネルや、ＭＥＭＳデバイスを用いることもできる。また、上記のように３つの光変調素子を備えた３板式の光学系ではなく、たとえば、１つの光変調素子とカラーホイールを用いた単板式の光学系とされても良い。
【００４２】
＜光源装置の構成＞
図４および図５は、光源装置１０の構成を示す図である。図４は、ランプ装着ユニット２００から、２つのランプユニット３００が取り外された状態を示す斜視図である。図５は、ミラーカバー２５０が取り外された状態を示す斜視図である。
【００４３】
図４および図５を参照して、光源装置１０は、下キャビネット２に固定されたランプ装着ユニット２００と、ランプ装着ユニット２００に装着される４つのランプユニット３００により構成されている。
【００４４】
ランプ装着ユニット２００は、ハウジング２１０と、２つのミラー部材２２０と、４つの第１ＵＶカット部材２３０と、第２ＵＶカット部材２４０と、ミラーカバー２５０とを備えている。
【００４５】
ハウジング２１０は、樹脂材料により形成されており、中央に配された２つのミラー配置部２１１と、ミラー配置部２１１の両側に形成された４つのランプ収容部２１２とを備えている。前側のミラー配置部２１１の底面は、後側のミラー配置部２１１の底面より低くされている。また、前側の左右２つのランプ収容部２１２の底面は、後側の左右２つのランプ収容部２１２の底面よりも低くされている。ミラー配置部２１１には、ミラー部材２２０が配置され、ランプ収容部２１２には、ランプユニット３００が装着される。
【００４６】
ミラー部材２２０は、Ｖ字状に形成されたベース部材２２１の前面に、Ｖ字状に形成された平面ミラー２２２が取り付けられたものである。ミラー部材２２０は、ランプユニット３００から出射された光を反射して前方へ導く。
【００４７】
第１ＵＶカット部材２３０は、紫外線の通過を阻止するＵＶカットガラス２３１を備えている。各第１ＵＶカット部材２３０は、各ランプ収容部２１２と、それに対応するミラー配置部２１１との間に配される。
【００４８】
第２ＵＶカット部材２４０は、紫外線の通過を阻止するＵＶカットガラスであり、前側のミラー配置部２１１の前方に配置される。第２ＵＶカット部材２４０の高さは、後側のミラー部材２２０により反射されて前方に向かう光の光路より高くなるように設定されている。
【００４９】
ミラーカバー２５０は、ミラー配置部２１１の上方を覆う。ミラーカバー２５０の前側には、第１ＵＶカット部材２３０の上端まで延びる側面部２５１が左右に形成されている。各側面部２５１には、ランプ収容部２１２内にランプユニット３００が装着されたときに、ランプユニット３００のフランジ部３２６ａを受ける受け部２５２が形成されている。受け部２５２からは、ガイドリブ２５３が上方に延びており、さらに、位置決めピン２５４が突出している。ミラーカバー２５０には、後部の左右にも同様に受け部２５５が形成されており、受け部２５５から上方に延びるガイド板２５６にガイドリブ２５７が形成されている。また、受け部２５５には、位置決めピン２５８が形成されている。
【００５０】
ミラーカバー２５０の上面には、サブ基板１７が取り付けられる。サブ基板１７には、ランプ用カバー７の開閉を検出するために、第１検出スイッチ４０１と第２検出スイッチ
４０５が設けられている。これら検出スイッチ４０１、４０５には、たとえば、マイクロスイッチが用いられる。各第１検出スイッチ４０１および各第２検出スイッチ４０５は、各ランプ用カバー７に対応して、互いに隣り合うように設けられている。
【００５１】
図６は、ランプユニット３００の構成を示す図である。図６（ａ）は、ランプユニット３００を前斜め方向から見た斜視図である。図６（ｂ）は、ランプユニット３００を後斜め方向から見た斜視図である。
【００５２】
図６を参照して、ランプユニット３００は、ランプ３１０と、ランプ３１０を保持するランプホルダ３２０により構成されている。ランプ３１０は、白色の光を発する発光管３１１と、発光管３１１から発せられた白色光を反射するリフレクター３１２を備えている。ランプ３１０には、たとえば、超高圧水銀ランプ、キセノンランプ等が用いられる。
【００５３】
ランプホルダ３２０は、樹脂材料により形成されており、ホルダ本体３２１と底板３２２とを備えている。ホルダ本体３２１の前面には、ランプ３１０からの光が出射される出射窓３２３が形成されている。出射窓３２３には、耐熱性のガラス板３２４が嵌め込まれている。ホルダ本体３２１は底面が開口しており、下方からランプ３１０が装着される。ホルダ本体３２１の底面の前半分に底板３２２が取り付けられ、底板３２２によってランプ３１０の底部が支えられる。
【００５４】
ホルダ本体３２１の上面には取手３２５が設けられている。取手３２５は、ランプユニット３００を持ち運ぶ際やランプ装着ユニット２００に対して着脱する際に用いられる。取手３２５の前方には、ランプ固定部３２６が設けられている。ランプ固定部３２６は、その上端に形成されたフランジ部３２６ａを含む。フランジ部３２６ａには、ガイド溝３２６ｂ、位置決め孔３２６ｃおよびネジ孔部３２６ｄが形成されている。ネジ孔部３２６ｄにはネジ３４０が挿入される。
【００５５】
図４に示すように、ランプユニット３００は、正面側（出射窓３２３側）がミラー配置部２１１に向く状態で、ランプ収容部２１２内に挿入される。この際、フランジ部３２６ａのガイド溝３２６ｂが、ミラーカバー２５０のガイドリブ２５３（２５７）に沿わされる。
【００５６】
ランプユニット３００が、ランプ収容部２１２内に完全に装着されると、ランプユニット３００のフランジ部３２６ａがミラーカバー２５０の受け部２５２（２５５）に当接し、位置決めピン２５４（２５８）がフランジ部３２６ａの位置決め孔３２６ｃに嵌り込む。ネジ孔部３２６ｄに挿入されたネジ３４０により、フランジ部３２６ａが受け部２５２（２５５）に固定される（図４参照）。これにより、ランプユニット３００がランプ装着ユニット２００に固定される。
【００５７】
ランプ装着ユニット２００に４つのランプユニット３００が組み込まれた状態において、プロジェクタの運転が行われると、各ランプユニット３００から光が出射される。図５に示すように、各ランプユニット３００から出射された光は、対応する第１ＵＶカット部材２３０を通過し、その際に紫外線が除去される。そして、各第１ＵＶカット部材２３０を通過した光は、各ランプユニット３００に対応するミラー部材２２０により反射されて一つの光に合成され、前方へ向かう。このとき、前方の２つのランプユニット３００は、後方の２つのランプユニット３００より低い位置に配されている。このため、後方のランプユニット３００からの光が前方のランプユニット３００に遮られることはない。合成された光は、第２ＵＶカット部材２４０を通過し、さらに紫外線が除去される。このようにして、４つのランプユニット３００からの光が合成されことにより、光源装置１０からは高輝度な光が出射される。
【００５８】
＜ランプ用カバーの開閉を検出するための構成＞
図７は、ランプ用カバー７の開閉を検出するための構成を示す図であり、上キャビネット３をランプ用カバー７の位置で左右に切断した要部の断面図である。図７（ａ）は、左右２つのランプ用カバー７が閉じた状態を示し、図７（ｂ）は１つのランプ用カバー７が開いた状態を示す。また、図７（ｃ）は、第１検出スイッチ４０１および第２検出スイッチ４０５と押圧バネ４０３の先端部との関係を示すために、押圧バネ４０３を正面方向から見た要部の図である。図７（ｃ）では、便宜上、押圧バネ４０３が一点鎖線で表わされている。なお、図７では、前方または後方の左右２つのランプ用カバー７のうち、一方の左右２つのランプ用カバー７の部位を示しているが、他方の左右２つのランプ用カバー７の部位についても同様な構造である。
【００５９】
図７を参照して、左右のランプ用カバー７の回転軸Ｐは、ともにランプ用開口３ａのミラー配置部２１１側の縁部に沿うよう前後方向に設定されている。ランプ用カバー７は、回転軸Ｐを中心にして回動し、ランプ用開口３ａを開閉する。
【００６０】
ランプ用カバー７には、回転軸Ｐ側（ミラー配置部２１１側）の端部にレバー７ａが形成されている。レバー７ａには、突部７ｂが形成されている。上キャビネット３の裏面には、金属製の押圧バネ４０３が取り付けられている。図７（ｃ）に示すように、押圧バネ４０３の先端部は、サブ基板１７に配された第１検出スイッチ４０１および第２検出スイッチ４０５の前方に位置している。
【００６１】
図７（ａ）に示すように、ランプ用カバー７が閉じられると、レバー７ａの突部７ｂに押されて、押圧バネ４０３の先端部が、各検出スイッチ４０１、４０５側に変形して各検出スイッチ４０１、４０５のボタン部４０２、４０６を押す。これにより、各検出スイッチ４０１、４０５が閉じられる。
【００６２】
一方、図７（ｂ）に示すように、ランプ用カバー７が開けられると、レバー７ａの突部７ｂが押圧バネ４０３の先端部から離れることにより、押圧バネ４０３が各検出スイッチ４０１、４０５のボタン部４０２、４０６から離れる。これにより、各検出スイッチ４０１、４０５が開かれる。
【００６３】
＜ランプユニットの駆動に係る制御系の構成＞
図８は、ランプユニット３００を制御するための制御系を示すブロック図である。
【００６４】
制御基板１６には、ランプユニット３００を駆動するため、メイン制御部５０１およびランプ制御用電源部５０２が配されている。また、４つのランプユニット３００にそれぞれ対応する４つのランプ電源部６００が、上述のように、第１ランプ電源ユニット１３と第２ランプ電源ユニット１４に分かれて配されている。さらに、プロジェクタには、ランプユニット３００の温度保護を図るために、温度スイッチ７００が設けられている。
【００６５】
なお、以下、説明の便宜上、ランプユニット３００を個別に特定する場合には、図５に示された左前方のランプユニット３００を、ＬＦランプユニット３００ａと称する。同様に、右前方、左後方および右後方のランプユニット３００を、それぞれ、ＲＦランプユニット３００ｂ、ＬＢランプユニット３００ｃ、ＲＢランプユニット３００ｄと称する。また、ＬＦランプユニット３００ａ、ＲＦランプユニット３００ｂ、ＬＢランプユニット３００ｃ、ＲＢランプユニット３００ｄにそれぞれ対応するランプ電源部６００を、ＬＦランプ電源部６００ａ、ＲＦランプ電源部６００ｂ、ＬＢランプ電源部６００ｃ、ＲＢランプ電源部６００ｄと称する。さらに、ＬＦランプユニット３００ａ、ＲＦランプユニット３００ｂ、ＬＢランプユニット３００ｃ、ＲＢランプユニット３００ｄにそれぞれ対応す
る第１検出スイッチ４０１を、第１ＬＦスイッチ４０１ａ、第１ＲＦスイッチ４０１ｂ、第１ＬＢスイッチ４０１ｃ、第１ＲＢスイッチ４０１ｄと称する。また、ＬＦランプユニット３００ａ、ＲＦランプユニット３００ｂ、ＬＢランプユニット３００ｃ、ＲＢランプユニット３００ｄにそれぞれ対応する第２検出スイッチ４０５を、第２ＬＦスイッチ４０５ａ、第２ＲＦスイッチ４０５ｂ、第２ＬＢスイッチ４０５ｃ、第２ＲＢスイッチ４０５ｄと称する。また、ＬＦランプユニット３００ａ、ＲＦランプユニット３００ｂ、ＬＢランプユニット３００ｃ、ＲＢランプユニット３００ｄにそれぞれ対応する温度スイッチ７００をＬＦ温度スイッチ７００ａ、ＲＦ温度スイッチ７００ｂ、ＬＢ温度スイッチ７００ｃ、ＲＢ温度スイッチ７００ｄと称する。図８には、ランプユニット３００、ランプ電源部６００、第１検出スイッチ４０１、第２検出スイッチ４０５および温度スイッチ７００を個別に特定する名称および符号が記載されている。
【００６６】
図９は、ランプ電源部６００の構成を示すプロック図である。
【００６７】
ランプ電源部６００は、リレー６０１と、力率改善回路６０２と、ランプバラスト６０３を備えている。
【００６８】
リレー６０１の接点部６０１ａは、ノイズフィルタ６０４を介して商用電源に接続されている。商用電源からは、たとえば、２４０Ｖの交流電圧信号が供給される。商用電源からの交流電圧信号は、本発明の供給電圧信号に相当する。リレー６０１のコイル部６０１ｂには、スイッチング回路６０５が接続されている。スイッチング回路６０５は、トランジスタと２つの抵抗とを含む。コイル部６０１ｂには、ランプ制御用電源部５０２により生成されたリレー駆動電圧信号（Ｖ２）が供給される。リレー駆動電圧信号（Ｖ２）は、たとえば、１２Ｖである。リレー駆動電圧信号（Ｖ２）は、本発明の第２電気信号に相当する。スイッチング回路６０５にはメイン制御部５０１からリレー６０１を制御するためのリレー制御信号（ＲＬＳＷ）が入力される。
【００６９】
力率改善回路６０２は、電流波形を電圧波形に相似させ、電流波形を正弦波に近づけることにより、商用電源側から見た力率を改善する。また、交流電圧信号を直流電圧信号に変換し、ランプバラスト６０３に出力する。力率改善回路６０２は、ＰＦＣ制御部６０２ａを含む。ＰＦＣ制御部６０２ａには、メイン制御部５０１からリレー制御信号（ＲＬＳＷ）が入力される。また、ＰＦＣ制御部６０２ａからは、力率改善回路６０２の異常の有無を知らせるＰＦＣエラー信号（ＰＦＣＥＲＲ）がメイン制御部５０１へ出力される。ＰＦＣエラー信号（ＰＦＣＥＲＲ）は、本発明の第２検出信号に相当する。
【００７０】
ランプバラスト６０３は、力率改善回路６０２から入力された直流電圧信号をランプユニット３００（ランプ３１０）の駆動に適する矩形の交流電圧信号に変換し、変換した交流電圧信号をランプユニット３００に供給してランプユニット３００を駆動する。矩形の交流電圧信号は、本発明の駆動電圧信号に相当する。ランプバラスト６０３は、ＢＬ制御部６０３ａを含む。ＢＬ制御部６０３ａは、メイン制御部５０１からの制御信号（ＴＸ）に基づいて、ランプバラスト６０３の動作を制御する。たとえば、ランプユニット３００に供給する交流電圧信号の大きさを変えることにより、ランプユニット３００の出力を変える。また、ＢＬ制御部６０３ａは、ランプユニット３００の点灯状態等、ランプユニット３００に関する情報を取得し、情報信号（ＲＸ）をメイン制御部５０１へ出力する。
【００７１】
ＢＬ制御部６０３ａには、ランプ制御用電源部５０２により生成されたバラスト制御電圧信号（Ｖ１）が入力される。バラスト制御電圧信号（Ｖ１）は、たとえば、５Ｖである。ＢＬ制御部６０３ａは、バラスト制御電圧信号（Ｖ１）が入力されれば、ランプバラスト６０３を動作させ、バラスト制御電圧信号（Ｖ１）が遮断されれば、ランプバラスト６０３を停止させる。バラスト制御電圧信号（Ｖ１）は、本発明の第１電気信号に相当する
。
【００７２】
図８に戻り、４つの第１検出スイッチ４０１は、ランプ制御用電源部５０２から４つのランプ電源部６００（ＢＬ制御部６０３ａ）へのバラスト制御電圧信号（Ｖ１）の信号ラインＬ１（以下、「Ｖ１信号ラインＬ１」という）に配される。即ち、第１ＬＦスイッチ４０１ａは、ランプ制御用電源部５０２とＬＦランプ電源部６００ａの間のＶ１信号ラインＬ１に配される。第１ＲＦスイッチ４０１ｂは、ランプ制御用電源部５０２とＲＦランプ電源部６００ｂの間のＶ１信号ラインＬ１に配される。第１ＬＢスイッチ４０１ｃは、ランプ制御用電源部５０２とＬＢランプ電源部６００ｃの間のＶ１信号ラインＬ１に配される。第１ＲＢスイッチ４０１ｄは、ランプ制御用電源部５０２とＲＢランプ電源部６００ｄの間のＶ１信号ラインＬ１に配される。
【００７３】
また、４つの第２検出スイッチ４０５は、ランプ制御用電源部５０２から４つのランプ電源部６００（リレー６０１）へのリレー駆動電圧信号（Ｖ２）の信号ラインＬ２（以下、「Ｖ２信号ラインＬ２」という）に配される。即ち、第２ＬＦスイッチ４０５ａは、ランプ制御用電源部５０２とＬＦランプ電源部６００ａの間のＶ２信号ラインＬ２に配される。第２ＲＦスイッチ４０５ｂは、ランプ制御用電源部５０２とＲＦランプ電源部６００ｂの間のＶ２信号ラインＬ２に配される。第２ＬＢスイッチ４０５ｃは、ランプ制御用電源部５０２とＬＢランプ電源部６００ｃの間のＶ２信号ラインＬ２に配される。第２ＲＢスイッチ４０５ｄは、ランプ制御用電源部５０２とＲＢランプ電源部６００ｄの間のＶ２信号ラインＬ２に配される。
【００７４】
ランプ用カバー７が閉じており、第１検出スイッチ４０１および第２検出スイッチ４０５が閉じているときには（図７（ａ）参照）、これら検出スイッチ４０１、４０５に対応するＶ１信号ラインＬ１およびＶ２信号ラインＬ２が接続状態となる。一方、ランプ用カバー７が開き、第１検出スイッチ４０１および第２検出スイッチ４０５が開くと（図７（ｂ）参照）、これら検出スイッチ４０１、４０５に対応するＶ１信号ラインＬ１およびＶ２信号ラインＬ２が遮断状態となる。
【００７５】
第１検出スイッチ４０１により、Ｖ１信号ラインＬ１が遮断されると、バラスト制御電圧信号（Ｖ１）が遮断される。また、第２検出スイッチ４０５により、Ｖ２信号ラインＬ２が遮断されると、リレー駆動電圧信号（Ｖ２）が遮断される。
【００７６】
４つの温度スイッチ７００は、ランプ制御用電源部５０２から４つの第２検出スイッチ４０５に至るまでのＶ２信号ラインＬ２上に直列となるように配されている。温度スイッチ７００は、周囲の温度、即ち、検出温度が所定の閾値以下のときには閉じており、検出温度が所定の閾値を超えると開く。温度スイッチ７００には、たとえば、サーモスタットが用いられる。４つの温度スイッチ７００の何れか１つが開けば、Ｖ２信号ラインＬ２が遮断され、リレー駆動電圧信号（Ｖ２）が遮断される。なお、後述するように、４つの温度スイッチ７００は、それぞれ、対応するランプユニット３００の近傍位置に配されている。
【００７７】
バラスト制御電圧信号（Ｖ１）は、ランプ用カバー７の開閉を検出するための開閉信号（ＬＰＣＶ）として、第１検出スイッチ４０１の出力側からメイン制御部５０１に入力される。メイン制御部５０１は、開閉信号（ＬＰＣＶ）の入力ポートにプルダウン抵抗（図示せず）を有している。第１検出スイッチ４０１が閉じていて、バラスト制御電圧信号（Ｖ１）が入力されれば、入力ポートがハイレベルとなる。第１検出スイッチ４０１が開いて、バラスト制御電圧信号（Ｖ１）が入力されなくなると入力ポートがローレベルとなる。開閉信号（ＬＰＣＶ）は、本発明の第１検出信号に相当する。
【００７８】
こうして、第１検出スイッチ４０１、第２検出スイッチ４０５および温度スイッチ７００が閉じた状態において、メイン制御部５０１からハイレベルのリレー制御信号（ＲＬＳＷ）が出力されると、ランプ電源部６００では、スイッチング回路６０５のトランジスタがオンして、リレー６０１のコイル部６０１ｂにリレー駆動電圧（Ｖ２）に基づく電流が流れる。これにより、接点部６０１ａが閉じて、力率改善回路６０２に商用電源が供給される。これにより、上述のごとく、力率改善回路６０２およびランプバラスト６０３が動作して、ランプユニット３００が点灯する。
【００７９】
ＰＦＣ制御部６０２ａには、ハイレベルのリレー制御信号（ＲＬＳＷ）が入力される。この状態において、力率改善回路６０２が正常に動作していれば、ＰＦＣ制御部６０２ａからハイレベルのＰＦＣエラー信号（ＰＦＣＥＲＲ）がメイン制御部５０１へ出力される。
【００８０】
ＢＬ制御部６０３ａには、バラスト制御電圧信号（Ｖ１）が入力され、ＢＬ制御部６０３ａは、ランプバラスト６０３の動作を継続させる。
【００８１】
ここで、ランプユニット３００の点灯中に、ランプ用カバー７が開かれると、第１検出スイッチ４０１および第２検出スイッチ４０５が開く。これら検出スイッチ４０１、４０５が開くと、リレー駆動電圧信号（Ｖ２）が遮断されるため、リレー６０１のコイル部６０１ｂに電流が流れなくなり、接点部６０１ａが開く。これにより、力率改善回路６０２への商用電源の供給が停止する。また、バラスト制御電圧信号（Ｖ１）が遮断され、ＢＬ制御部６０３ａに入力されなくなるため、ＢＬ制御部６０３ａは、ランプ用カバー７が開いたと判定して、ランプバラスト６０３の動作を停止する。こうして、ランプユニット３００の駆動が停止され、ランプユニット３００が消灯する。
【００８２】
このとき、ＰＦＣ制御部６０２ａには、ハイレベルのリレー制御信号（ＲＬＳＷ）が入力されているが、力率改善回路６０２は動作しない。このため、実際には力率改善回路６０２の異常はないが、ＰＦＣ制御部６０２ａからは、ローレベルのＰＦＣエラー信号（ＰＦＣＥＲＲ）がメイン制御部５０１へ出力される。また、第１検出スイッチ４０１の出力側からはバラスト制御電圧信号（Ｖ１）が出力されなくなるため、メイン制御部５０１にはローレベルの開閉信号（ＬＰＣＶ）が入力される。
【００８３】
また、ランプユニット３００の点灯中に、何れかの温度スイッチ７００が開いた場合も、リレー駆動電圧信号（Ｖ２）が遮断され、力率改善回路６０２への商用電源の供給が停止されるので、ランプユニット３００の駆動が停止される。そして、ＰＦＣ制御部６０２ａから、ローレベルのＰＦＣエラー信号（ＰＦＣＥＲＲ）がメイン制御部５０１へ出力される。ただし、この場合、第１検出スイッチ４０１は閉じているので、第１検出スイッチ４０１の出力側からバラスト制御電圧信号（Ｖ１）が出力され、メイン制御部５０１にはハイレベルの開閉信号（ＬＰＣＶ）が入力される。
【００８４】
さらに、ランプユニット３００の点灯中に、力率改善回路６０２が異常を来たした場合には、ランプバラスト６０３に正常に直流電圧信号が出力されなくなるので、ランプユニット３００の駆動が停止される。さらに、ＰＦＣ制御部６０２ａから、ローレベルのＰＦＣエラー信号がメイン制御部５０１へ出力される。この場合も、メイン制御部５０１にはハイレベルの開閉信号（ＬＰＣＶ）が入力される。
【００８５】
＜ランプユニットの駆動に係る配線の構成＞
図１０は、温度スイッチ７００および第２検出スイッチ４０５が配されたＶ２信号ラインＬ２に関する配線状態を示す図である。図１１は、第１検出スイッチ４０１が配されたＶ１信号ラインＬ１に関する配線状態を示す図である。図１０および図１１はプロジェク
タ内部を上方から見た模式図である。図１０では、便宜上、Ｖ１信号ラインＬ１に関する配線が省略されており、図１１では、便宜上、Ｖ２信号ラインＬ２に関する一部の配線が省略されている。
【００８６】
図１０に示すように、ランプ制御用電源部５０２からリレー駆動電圧信号（Ｖ２）を供給する第１ケーブルＣＡ１が第１コネクタ８０１によりサブ基板１７に接続されている。また、第２ＬＦスイッチ４０５ａ、第２ＲＦスイッチ４０５ｂ、第２ＬＢスイッチ４０５ｃおよび第２ＲＢスイッチ４０５ｄから出力されたリレー駆動電圧信号（Ｖ２）を、それぞれ、ＬＦランプ電源部６００ａ、ＲＦランプ電源部６００ｂ、ＬＢランプ電源部６００ｃおよびＲＢランプ電源部６００ｄへ導く第４ケーブルＣＡ４、第５ケーブルＣＡ５、第６ケーブルＣＡ６および第７ケーブルＣＡ７が、第１コネクタ８０１によりサブ基板１７に接続されている。
【００８７】
ＬＦ温度スイッチ７００ａは、ＬＦランプユニット３００ａの側方であって、ＬＦランプユニット３００ａの近傍位置に配されている。また、ＬＢ温度スイッチ７００ｃは、ＬＢランプユニット３００ｃの側方にであって、ＬＢランプユニット３００ｃの近傍位置に配されている。これら温度スイッチ７００ａ、７００ｃは第２ケーブルＣＡ２の途中に直列接続されており、第２ケーブルＣＡ２の両端は、第２コネクタ８０２によりサブ基板１７に接続されている。
【００８８】
ＲＦ温度スイッチ７００ｂは、ＲＦランプユニット３００ｂの側方であって、ＲＦランプユニット３００ｂの近傍位置に配されている。また、ＲＢ温度スイッチ７００ｄは、ＲＢランプユニット３００ｄの側方にであって、ＲＢランプユニット３００ｄの近傍位置に配されている。これら温度スイッチ７００ｂ、７００ｄは第３ケーブルＣＡ３の途中に直列接続されており、第３ケーブルＣＡ３の両端は、第３コネクタ８０３によりサブ基板１７に接続されている。
【００８９】
次に、図１１に示すように、ランプ制御用電源部５０２からバラスト制御電圧信号（Ｖ１）を供給する第８ケーブルＣＡ８が第１コネクタ８０１によりサブ基板１７に接続されている。また、第１ＬＦスイッチ４０１ａ、第１ＲＦスイッチ４０１ｂ、第１ＬＢスイッチ４０１ｃおよび第１ＲＢスイッチ４０１ｄから出力されたバラスト制御電圧信号（Ｖ１）を、それぞれ、ＬＦランプ電源部６００ａ、ＲＦランプ電源部６００ｂ、ＬＢランプ電源部６００ｃおよびＲＢランプ電源部６００ｄへ導く第９ケーブルＣＡ９、第１０ケーブルＣＡ１０、第１１ケーブルＣＡ１１および第１２ケーブルＣＡ１２が、第１コネクタ８０１によりサブ基板１７に接続されている。
【００９０】
なお、図１０および図１１には図示されていないが、グランドラインを構成するケーブルも、ランプ制御用電源部５０２とサブ基板１７との間に配されている。
【００９１】
図１２は、サブ基板１７におけるＶ２信号ラインＬ２に関する配線状態を示す図である。図１３は、サブ基板１７におけるＶ１信号ラインＬ１に関する配線状態を示す図である。なお、図１２および図１３において、サブ基板１７に形成された導電パターンＰＴ１〜ＰＴ１２は模式的なものである。導電パターンＰＴ１〜ＰＴ１２の具体的な形状、幅等は、実際の製品に応じて、適宜、設計される。また、図１２および図１３では、便宜上、第１ジャック８０１ａ、第２ジャック８０２ａ、第３ジャック８０３ａ、各第１検出スイッチ４０１ａ、４０１ｂ、４０１ｃ、４０１ｄおよび各第２検出スイッチ４０５ａ、４０５ｂ、４０５ｃ、４０５ｄが透けた状態で示されている。
【００９２】
サブ基板１７には、各第１検出スイッチ４０１ａ、４０１ｂ、４０１ｃ、４０１ｄおよび各第２検出スイッチ４０５ａ、４０５ｂ、４０５ｃ、４０５ｄの他、第１コネクタ８０
１、第２コネクタ８０２および第３コネクタ８０３のジャック側のコネクタ８０１ａ、８０２ａ、８０３ａ（以下、それぞれ「第１ジャック８０１ａ」、「第２ジャック８０２ａ」、「第３ジャック８０３ａ」という）が配されている。
【００９３】
図１２に示すように、サブ基板１７上の各第２検出スイッチ４０５ａ、４０５ｂ、４０５ｃ、４０５ｄ、第１ジャック８０１ａの第１ピンから第５ピン、第２ジャック８０２ａおよび第３ジャック８０３ａは、導電パターンＰＴ１〜ＰＴ７により電気的に接続される。これら導電パターンＰＴ１〜ＰＴ７は、たとえば、サブ基板１７の表面側に形成される。
【００９４】
導電パターンＰＴ１は、第１ジャック８０１ａの第１ピンと第２ジャック８０２ａの第１ピンとを接続する。導電パターンＰＴ２は、第２ジャック８０２ａの第２ピンと第３ジャック８０３ａの第１ピンとを接続する。
【００９５】
導電パターンＰＴ３は、パターンが分岐する３か所の分岐部ＢＲ１、ＢＲ２、ＢＲ３を有し、第３ジャック８０３ａの第２ピンと各第２検出スイッチ４０５ａ、４０５ｂ、４０５ｃ、４０５ｄの入力ピンとを接続する。
【００９６】
導電パターンＰＴ４は、第２ＬＦスイッチ４０５ａの出力ピンと第１ジャック８０１ａの第４ピンとを接続する。導電パターンＰＴ５は、第２ＲＦスイッチ４０５ｂの出力ピンと第１ジャック８０１ａの第３ピンとを接続する。導電パターンＰＴ６は、第２ＬＢスイッチ４０５ｃの出力ピンと第１ジャック８０１ａの第５ピンとを接続する。導電パターンＰＴ７は、第２ＲＢスイッチ４０５ｄの出力ピンと第１ジャック８０１ａの第２ピンとを接続する。
【００９７】
図１３に示すように、サブ基板１７上の各第１検出スイッチ４０１ａ、４０１ｂ、４０１ｃ、４０１ｄおよび第１ジャック８０１ａの第６ピンから第１０ピンは、導電パターンＰＴ８〜ＰＴ１２により電気的に接続される。これら導電パターンＰＴ８〜ＰＴ１２は、たとえば、サブ基板１７の裏面側に形成される。
【００９８】
導電パターンＰＴ８は、パターンが分岐する３か所の分岐部ＢＲ４、ＢＲ５、ＢＲ６を有し、第１ジャック８０１ａの第６ピンと各第１検出スイッチ４０１ａ、４０１ｂ、４０１ｃ、４０１ｄの入力ピンとを接続する。
【００９９】
導電パターンＰＴ９は、第１ＬＦスイッチ４０１ａの出力ピンと第１ジャック８０１ａの第９ピンとを接続する。導電パターンＰＴ１０は、第１ＲＦスイッチ４０１ｂの出力ピンと第１ジャック８０１ａの第８ピンとを接続する。導電パターンＰＴ１１は、第１ＬＢスイッチ４０１ｃの出力ピンと第１ジャック８０１ａの第１０ピンとを接続する。導電パターンＰＴ１２は、第１ＲＢスイッチ４０１ｄの出力ピンと第１ジャック８０１ａの第７ピンとを接続する。
【０１００】
図１４は、サブ基板１７に第１から第１２ケーブルＣＡ１〜ＣＡ１２が接続された状態を示す図である。図１４では、便宜上、サブ基板１７の表面に形成された導電パターンＰＴ１〜ＰＴ７のみが破線にて示されている。
【０１０１】
第１ケーブルＣＡ１、第４から第１２ケーブルＣＡ４〜ＣＡ１２は、第１コネクタ８０１のプラグ側のコネクタ８０１ｂ（以下、「第１プラグ８０１ｂ」という）に接続されている。第１プラグ８０１ｂは、第１ジャック８０１ａに接続される。これにより、第１ケーブルＣＡ１は、第１ジャック８０１ａの第１ピンに接続され、第４から第７ケーブルＣＡ４〜ＣＡ７は、それぞれ、第１ジャック８０１ａの第４ピン、第３ピン、第５ピン、第
２ピンに接続される。
【０１０２】
第２ケーブルＣＡ２の両端は、第２コネクタ８０２のプラグ側のコネクタ８０２ｂ（以下、「第２プラグ８０２ｂ」という）に接続されている。第２プラグ８０２ｂは、第２ジャック８０２ａに接続される。これにより、第２ケーブルＣＡ２のＬＦ温度スイッチ７００ａ側の端部は、第２ジャック８０２ａの第１ピンに接続され、第２ケーブルＣＡ２のＬＢ温度スイッチ７００ｃ側の端部は、第２ジャック８０２ａの第２ピンに接続される。
【０１０３】
第３ケーブルＣＡ３の両端は、第３コネクタ８０３のプラグ側のコネクタ８０３ｂ（以下、「第３プラグ８０３ｂ」という）に接続されている。第３プラグ８０３ｂは、第３ジャック８０３ａに接続される。これにより、第３ケーブルＣＡ３のＲＦ温度スイッチ７００ｂ側の端部は、第３ジャック８０３ａの第１ピンに接続され、第３ケーブルＣＡ３のＲＢ温度スイッチ７００ｄ側の端部は、第３ジャック８０３ａの第２ピンに接続される。
【０１０４】
こうして、ランプ制御用電源部５０２で生成されたリレー駆動電圧信号（Ｖ２）は、第１ケーブルＣＡ１を通じて、第１ジャック８０１ａの第１ピンに入力され、導電パターンＰＴ１および第２ジャック８０２ａの第１ピンを通じて第２ケーブルＣＡ２に入力される。第２ケーブルＣＡ２に入力されたリレー駆動電圧信号（Ｖ２）は、ＬＦ温度スイッチ７００ａおよびＬＢ温度スイッチ７００ｃを経由した後に、第２ジャック８０２ａの第２ピン、導電パターンＰＴ２および第３ジャック８０３ａの第１ピンを通じて第３ケーブルＣＡ３に入力される。第３ケーブルＣＡ３に入力されたリレー駆動電圧信号（Ｖ２）は、ＲＦ温度スイッチ７００ｂおよびＲＢ温度スイッチ７００ｄを経由した後に、第３ジャック８０３ａの第２ピンに入力される。このように、リレー駆動電圧信号（Ｖ２）は、第１ケーブルＣＡ１から第３ケーブルＣＡ３に至るまでの１つの配線によって第３ジャック８０３ａの第２ピンに入力される。
【０１０５】
第３ジャック８０３ａの第２ピンに入力されたリレー駆動電圧信号（Ｖ２）は、導電パターンＰＴ３により分岐され、各第２検出スイッチ４０５ａ、４０５ｂ、４０５ｃ、４０５ｄの入力ピンに入力される。そして、各第２検出スイッチ４０５ａ、４０５ｂ、４０５ｃ、４０５ｄの出力ピンから出力されたリレー駆動電圧信号（Ｖ２）は、それぞれ、導電パターンＰＴ４〜ＰＴ７、第１コネクタ８０１、第４から第７ケーブルＣＡ４〜ＣＡ７を通じて、各ランプ電源部６００ａ、６００ｂ、６００ｃ、６００ｄに入力される。
【０１０６】
一方、ランプ制御用電源部５０２で生成されたバラスト制御電圧信号（Ｖ１）は、第８ケーブルＣＡ８を通じて、第１ジャック８０１ａの第６ピンに入力される。第１ジャック８０１ａの第６ピンに入力されたバラスト制御電圧信号（Ｖ１）は、導電パターンＰＴ８により分岐され、各第１検出スイッチ４０１ａ、４０１ｂ、４０１ｃ、４０１ｄの入力ピンに入力される。そして、各第１検出スイッチ４０１ａ、４０１ｂ、４０１ｃ、４０１ｄの出力ピンから出力されたバラスト制御電圧信号（Ｖ１）は、それぞれ、導電パターンＰＴ９〜ＰＴ１２、第１コネクタ８０１、第９から第１２ケーブルＣＡ９〜ＣＡ１２を通じて、各ランプ電源部６００ａ、６００ｂ、６００ｃ、６００ｄに入力される。
【０１０７】
＜ランプユニットに関する保護制御＞
図１５は、ランプユニットに関する保護制御の処理手順を示すフローチャートである。また、図１６は、プロジェクタが各種の状態にあるときの、各ランプユニット３００ａ、３００ｂ、３００ｃ、３００ｄに対応する開閉信号（ＬＰＣＶ＿ＬＦ、ＬＰＣＶ＿ＲＦ、ＬＰＣＶ＿ＬＢ、ＬＰＣＶ＿ＲＢ）およびＰＦＣエラー信号（ＰＦＣＥＲＲ＿ＬＦ、ＰＦＣＥＲＲ＿ＲＦ、ＰＦＣＥＲＲ＿ＬＢ、ＰＦＣＥＲＲ＿ＲＢ）の状態を示す図である。なお、図１６において、「Ｈ」はハイレベルの信号を示し、「Ｌ」はローレベルの信号を示す。
【０１０８】
図５に示す保護制御は、運転中、即ち、ランプユニット３００が点灯されるとともに液晶パネル１０２、１０３、１０４が駆動され、スクリーンに画像が投写されている間、メイン制御部５０１により実行される。
【０１０９】
運転中、メイン制御部５０１は、各ランプユニット３００ａ、３００ｂ、３００ｃ、３００ｄに対応する開閉信号（ＬＰＣＶ）およびＰＦＣエラー信号（ＰＦＣＥＲＲ）の状態を監視し、何れかのランプユニット３００ａ、３００ｂ、３００ｃ、３００ｄにおいて、開閉信号（ＬＰＣＶ）がハイレベル、かつ、ＰＦＣエラー信号（ＰＦＣＥＲＲ）がローレベルになった否かを判定する（Ｓ１０１〜Ｓ１０４）。
【０１１０】
プロジェクタが正常に運転されている場合には、図１６に示すように、開閉信号（ＬＰＣＶ）およびＰＦＣエラー信号（ＰＦＣＥＲＲ）は、何れもハイレベルとなる。よって、この場合、メイン制御部５０１は、開閉信号（ＬＰＣＶ）がハイレベル、かつ、ＰＦＣエラー信号（ＰＦＣＥＲＲ）がローレベルになっていないと判定し（Ｓ１０１：ＮＯ、Ｓ１０２：ＮＯ、Ｓ１０３：ＮＯ、Ｓ１０４：ＮＯ）、そのまま監視を続ける。
【０１１１】
本実施の形態では、運転を継続したまま、寿命や故障により不灯状態となったランプユニット３００を交換できる。ユーザは、通常、ランプ交換のために、運転中、ランプ用カバー７を開ける。しかしながら、運転中に、ユーザにより、誤ってランプ用カバー７が開けられる場合もある。
【０１１２】
誤ってランプ用カバー７が開けられたことの判別は、メイン制御部５０１がランプユニット３００を点灯させるように制御しているランプユニット３００に対応するランプ用カバー７が開けられたことを検出することにより行うことができる。
【０１１３】
運転中、何れかのランプ用カバー７が開いた場合には、図１６に示すように、開いたランプ用カバー７に対応するランプユニット３００では、第１検出スイッチ４０１および第２検出スイッチ４０５が開放するため、開閉信号（ＬＰＣＶ）およびＰＦＣエラー信号（ＰＦＣＥＲＲ）が、何れもローレベルとなる。
【０１１４】
このとき、上述したように、第１検出スイッチ４０１および第２検出スイッチ４０５の開放に基づいて、ランプ電源部６００が駆動を停止するため、開いたランプ用カバー７に対応するランプユニット３００はユーザ保護のために消灯する。しかし、他のランプユニット３００については、点灯した状態のままである。なお、必要に応じて、他のランプユニット３００の一部が消灯されたり、他のランプユニット３００の一部または全部が減灯されたりする場合もあり得る。
【０１１５】
このように、何れかのランプ用カバー７が開いた場合には、たとえ、誤って開かれた場合であっても、少なくとも、対応するランプユニット３００さえ消灯されればよい。よって、この場合も、メイン制御部５０１は、開閉信号（ＬＰＣＶ）がハイレベル、かつ、ＰＦＣエラー信号（ＰＦＣＥＲＲ）がローレベルになっていないと判定し（Ｓ１０１：ＮＯ、Ｓ１０２：ＮＯ、Ｓ１０３：ＮＯ、Ｓ１０４：ＮＯ）、そのまま監視を続ける。このように、何れかのランプ用カバー７が開いても、光源装置１０全体としては動作が継続されるので、運転を継続したまま、ランプ交換を行うことが可能となる。
【０１１６】
ユーザが、ランプ用カバー７を閉じれば、第１検出スイッチ４０１および第２検出スイッチ４０５が閉じるので、対応するランプユニット３００が再び点灯可能な状態となり、ランプユニット３００を始動させることが可能となる。
【０１１７】
次に、ランプユニット３００が異常を来たした場合や、ランプユニット３００を冷却する冷却ファン（図示せず）が異常を来たしてランプユニット３００が正常に冷却されなくなった場合には、何れかのランプユニット３００あるいは全てのランプユニット３００が過熱状態となり得る。ランプユニット３００が過熱すると、その周囲の温度が高くなり、そのランプユニット３００に対応する温度スイッチ７００が開く。
【０１１８】
このように温度異常が生じた場合には、図１６に示すように、ランプ用カバー７が閉じられた状態のまま、少なくとも何れか１つの温度スイッチ７００が開放することにより、全てのランプユニット３００について、対応する開閉信号（ＬＰＣＶ）がハイレベルとなり、かつ、対応するＰＦＣエラー信号（ＰＦＣＥＲＲ）がローレベルになる。
【０１１９】
ランプユニット３００に温度異常が生じた場合、仮に、温度スイッチ７００が作動したランプユニット３００が１つであっても、光源装置１０が全体的に過熱状態となっている虞がある。よって、このままでは正常な運転が継続できない可能性が高い。
【０１２０】
メイン制御部５０１は、たとえば、ステップＳ１０１において、開閉信号（ＬＰＣＶ）がハイレベル、かつ、ＰＦＣエラー信号（ＰＦＣＥＲＲ）がローレベルになったと判定し（Ｓ１０１：ＹＥＳ）、保護処理を実行する（Ｓ１０５）。
【０１２１】
メイン制御部５０１は、保護処理として、運転を停止するためのシャットダウン処理を実行する。即ち、メイン制御部５０１は、点灯している全てのランプユニット３００を消灯させ、液晶パネル１０２、１０３、１０４を停止する。なお、必要に応じて、ランプユニット３００が冷却されるまで所定の期間だけ冷却ファンが駆動された後に、冷却ファンが停止されても良い。シャットダウン処理が完了して運転が終了すると、メイン制御部５０１は、プロジェクタを待機状態にする。
【０１２２】
次に、何らかの要因により、ランプ電源部６００の力率改善回路６０２が正常に動作しなくなった場合には、図１６に示すように、その力率改善回路６０２のＰＦＣ制御部６０２ａからのＰＦＣエラー信号（ＰＦＣＥＲＲ）がローレベルになる。このとき、異常が生じたランプ電源部６００に対応するランプユニット３００について、開閉信号（ＬＰＣＶ）はハイレベルのままである。
【０１２３】
このように、ランプ電源部６００（力率改善回路６０２）が異常を来たした場合には、たとえ、１つのランプ電源部６００であっても、運転を継続したまま、そのランプ電源部６００をそのまま放置することは望ましくない。
【０１２４】
メイン制御部５０１は、たとえば、ＬＦランプ電源部６００ａに力率改善回路６０２の異常が発生した場合には、ステップ１０１において、開閉信号（ＬＰＣＶ）がハイレベル、かつ、ＰＦＣエラー信号（ＰＦＣＥＲＲ）がローレベルになったと判定する（Ｓ１０１：ＹＥＳ）。そして、ランプユニット３００に温度異常が発生した場合と同様、保護処理を実行する（Ｓ１０５）。
【０１２５】
＜本実施の形態の効果＞
以上、本実施の形態によれば、ランプ用カバー７が開けられた場合には、対応するランプユニット３００が消灯され、残りのランプユニット３００の動作により運転が継続される。ランプユニット３００が過熱状態となった場合、およびランプ電源部６００が正常に動作しなくなった場合には、対応するランプユニット３００が消灯された後に運転が停止される。よって、ランプ用カバー７の開放、ランプユニット３００の温度異常およびランプ電源部６００の動作異常のそれぞれに応じた適正な対応をとることができる。
【０１２６】
また、本実施の形態によれば、ランプ用カバー７が開いた際に、第１検出スイッチ４０１によりバラスト制御電圧信号（Ｖ１）が遮断されるか第２検出スイッチ４０５によりリレー駆動電圧信号（Ｖ２）が遮断されれば、開いたランプ用カバー７に対応するランプユニット３００が消灯される。よって、ランプ用カバー７が開いた際に、精度よくランプユニット３００を消灯できる。また、第２検出スイッチ４０５によりリレー駆動電圧信号（Ｖ２）が遮断されると、メイン制御部５０１にはＰＦＣエラー信号（ＰＦＣＥＲＲ）が入力される。しかし、メイン制御部５０１は、ＰＦＣエラー信号（ＰＦＣＥＲＲ）が入力されても開閉信号（ＬＰＣＶ）が入力されなければ、運転を停止しない。よって、ランプ用カバー７が開放されたときに、誤って運転が停止されない。
【０１２７】
さらに、本実施の形態によれば、第１検出スイッチ４０１によりバラスト制御電圧信号（Ｖ１）が遮断されれば、ランプバラスト６０３が停止され、第２検出スイッチ４０５によりリレー駆動電圧信号（Ｖ２）が遮断されれば、リレー６０１がオフする構成とされている。このため、ランプバラスト６０３またはリレー６０１のどちらか一方に不具合（ランプバラスト６０３の故障、リレー６０１の接点部６０１ａの溶着など）が生じていても、ランプ用カバー７が開いたときに、不具合ない他方によってランプユニット３００が消灯される。よって、ランプ用カバー７が開いた際に、精度よくランプユニット３００を消灯できる。
【０１２８】
さらに、上記実施の形態によれば、各ランプユニット３００に対応して設けられた４つの温度スイッチ７００が、ランプ制御用電源部５０２から第２検出スイッチ４０５に至るまでのＶ２信号ラインＬ２上に直列に配されている。このため、少なくとも１つの温度スイッチ７００によって、その温度スイッチ７００の周りの温度異常が検出されると、全てのランプユニット３００が停止される。よって、温度異常に対して、より手厚く光源装置１０の保護を図ることができる。
【０１２９】
＜その他＞
以上、本実施の形態について説明したが、本発明は上記実施の形態に何ら制限されるものではなく、また、本発明の実施形態も、上記実施の形態に以外に、種々の変更が可能である。
【０１３０】
たとえば、図１７に示すように、リレー駆動用電圧信号（Ｖ２）が、温度スイッチ７００の開閉を検出するための開閉信号（ＴＭＶ）として、温度スイッチ７００の出力側からメイン制御部５０１に入力されるようにしても良い。この場合、メイン制御部５０１には、開閉信号（ＴＭＶ）の入力ポートにプルダウン抵抗（図示せず）が設けられる。全ての温度スイッチ７００が閉じていて、リレー駆動用電圧信号（Ｖ２）が入力されれば、入力ポートがハイレベルとなる。少なくとも１つの温度スイッチ７００が開いて、リレー駆動用電圧信号（Ｖ２）が入力されなくなると入力ポートがローレベルとなる。開閉信号（ＴＭＶ）は、本発明の第３検出信号に相当する。
【０１３１】
メイン制御部５０１は、開閉信号（ＴＭＶ）がローレベルであれば、光源装置１０に温度異常が発生したと判定できる。これにより、メイン制御部５０１は、図１５の保護制御において運転を停止したときに、光源装置１０の温度異常と、力率改善回路６０２の動作異常とを識別できる。メイン制御部５０１は、これら異常原因を示す情報をプロジェクタ内のメモリ（図示せず）に保存したり、表示部（図示せず）に表示したりする。よって、プロジェクタを修理する際に、作業者が、メモリーから異常原因を示す情報を読み出したり、表示を確認したりすることにより、運転停止の原因を詳細に知ることが可能となる。
【０１３２】
また、上記実施の形態では、４つの温度スイッチ７００が、ランプ制御用電源部５０２から４つの第２検出スイッチ４０５に至るまでのＶ２信号ラインＬ２上に直列となるよう
に配されている。しかしながら、図１８に示すように、各第２検出スイッチ４０５ａ、４０５ｂ、４０５ｃ、４０５ｄの出力側に、対応する各温度スイッチ７００ａ、７００ｂ、７００ｃ、７００ｄが配されても良い。この場合、温度異常を検出した温度スイッチ７００に対応するランプユニット３００のみが消灯される。
【０１３３】
さらに、上記実施の形態では、４つのランプユニット３００のそれぞれに対応するように４つの温度スイッチ７００が設けられている。しかしながら、これに限らず、たとえば、左側２つのＬＦランプユニット３００ａとＬＢランプユニット３００ｃに対応して１つの温度スイッチ７００が配され、右側２つのＲＦランプユニット３００ｂとＲＢランプユニット３００ｄに対応して１つの温度スイッチ７００が配されても良い。この場合、温度スイッチ７００は、２つのランプユニット３００の間に配されることが望ましい。このように、各ランプユニットに対応する温度スイッチとして、複数のランプユニットに１つの温度スイッチが対応しても良い。また、光源装置１０に対して、１つの温度スイッチ７００のみが設けられても良い。この場合、温度スイッチ７００は、光源装置１０内で、最も温度が高くなる位置に配されることが望ましい。
【０１３４】
さらに、上記実施の形態では、Ｖ２信号ラインＬ２に４つの第２検出スイッチ４０５が配されているが、これら第２検出スイッチ４０５を省略することもできる。
【０１３５】
さらに、上記実施の形態では、各ランプユニット３００から出射された光をミラー部材２２０(平面ミラー２２２)により反射することにより合成するようにしているが、光合成部として、ミラーでなく、プリズムが用いられても良い。
【０１３６】
さらに、上記実施の形態では、ランプ光源を用いたランプユニット３００により光源装置１０が構成されているが、ＬＥＤ光源やレーザ光源を用いた光源ユニットにより光源装置１０が構成されても良い。
【０１３７】
さらに、上記実施の形態のプロジェクタは、４灯式のプロジェクタであるが、４灯以外の多灯式のプロジェクタであっても良い。
【０１３８】
この他、本発明の実施の形態は、特許請求の範囲に示された技術的思想の範囲内において、適宜、種々の変更が可能である。
【符号の説明】
【０１３９】
１  本体キャビネット
３ａ  ランプ用開口（開口部）
７  ランプ用カバー（光源用カバー）
１０  光源装置
１１  光学系
１０２、１０３、１０４  液晶パネル（光変調部）
３００  ランプユニット（光源部）
４０１  第１検出スイッチ（開閉検出部、第１開閉検出部）
４０５  第２検出スイッチ（開閉検出部、第２開閉検出部）
５０１  メイン制御部（制御部）
５０２  ランプ制御用電源部（信号供給部）
６００  ランプ電源部（光源駆動部）
６０１  リレー（切替部）
６０２  力率改善回路（信号変換部）
６０２ａ  ＰＦＣ制御部（異常動作検出部）
６０３  ランプバラスト（信号変換部）
７００  温度スイッチ（温度検出部）
【図１】
0005611800.tif 000002
【図２】
0005611800.tif 000003
【図３】
0005611800.tif 000004
【図４】
0005611800.tif 000005
【図５】
0005611800.tif 000006
【図６】
0005611800.tif 000007
【図７】
0005611800.tif 000008
【図８】
0005611800.tif 000009
【図９】
0005611800.tif 000010
【図１０】
0005611800.tif 000011
【図１１】
0005611800.tif 000012
【図１２】
0005611800.tif 000013
【図１３】
0005611800.tif 000014
【図１４】
0005611800.tif 000015
【図１５】
0005611800.tif 000016
【図１６】
0005611800.tif 000017
【図１７】
0005611800.tif 000018
【図１８】
0005611800.tif 000019